(57)【特許請求の範囲】
【請求項１】
上部開口を有する有底の筒状体であるグラス本体と、
前記グラス本体の側面又は内部に映像表示装置を固定するための固定機構と、
前記映像表示装置の画像を前記グラス本体の外部から視認するための透明部と、
前記画像の縦横比を変える画像縦横比制御部とを備え、
前記画像縦横比制御部としてフレネルレンズのパターンをエンボス加工したフレネルレンズエリアを前記透明部の表面に備えており、
前記フレネルレンズエリアにおける前記画像の垂直方向の拡大率は水平方向の拡大率より大きく、
前記グラス本体内の飲料は水平方向に湾曲し、
前記画像が前記飲料と前記フレネルレンズエリアを通過して前記グラス本体の外部に至ることを特徴とする飲料用演出グラス。
【請求項２】
前記透明部と前記フレネルレンズエリアが一体化していることを特徴とする請求項1に記載の飲料用演出グラス。
【請求項３】
前記グラス本体内部に前記画像を前記上部開口の方向へ反射する反射鏡を備えることを特徴とする請求項1〜2のいずれか一項に記載の飲料用演出グラス。
【請求項４】
前記上部開口を塞ぐための蓋を備えることを特徴とする請求項1〜3のいずれか一項に記載の飲料用演出グラス。
【請求項５】
請求項1に記載の飲料用演出グラスにおいて前記フレネルレンズエリアを前記透明部に設けるための透明シールであり、
フレネルレンズのパターンをエンボス加工したエンボス加工エリアを前記透明シールの片面に備えており、
前記透明シールの前記エンボス加工エリアを備える面と反対側の面に前記透明部に張り付けるための接着層を備え、
前記透明シールは透明であり、
前記透明シールの前記画像の垂直方向の拡大率は水平方向の拡大率より大きいことを特徴とする透明シール。
【発明の詳細な説明】
【技術分野】
【０００１】  本発明は、グラス本体の側面をフレネルレンズ加工する事によりグラスの重量増加無しに画像縦横比制御部を搭載可能な飲料用演出グラス及びその飲料用演出グラスを構成する際に用いる透明シールに関する。
【背景技術】
【０００２】  飲料を入れる機能以外に様々な機能を持ったグラスが開発されており、飲料のレンズ効果による画像の水平方向の歪みをキャンセルする飲料用演出グラスが開発されている。
例えば特許文献１には本願発明者が発明した飲料用演出グラスが開示されている。この飲料用演出グラスは、画像の縦横比を制御する映像縦横比制御部を用いて水平方向に圧縮されたスクィーズ画像を出力しグラス本体内部の飲料のレンズ効果による画像の水平方向の歪みを相殺又はキャンセルすることが可能なグラスである。
【先行技術文献】
【特許文献】
【０００３】
【特許文献１】特許第６７４９６６８号
【発明の概要】
【発明が解決しようとする課題】
【０００４】  しかし、上記特許文献１の飲料用演出グラスはグラス本体内の飲料のレンズ効果による画像の歪みを相殺するための画像縦横比制御部（又は映像縦横比制御部）のＩＣやコンピュータを映像表示装置又はグラス本体内部に搭載する必要が有るためその分グラスの重量が増加するという問題を有する。【０００５】  本発明は上記問題を鑑み、グラス本体の側面又は壁面をフレネルレンズ加工する事によりグラスの重量増加を殆ど無しに画像縦横比制御部をグラス本体に搭載可能な飲料用演出グラスを提供することを課題とする。
また、その飲料用演出グラスを構成する際に用いる透明シールを提供することを課題とする。
【課題を解決するための手段】
【０００６】  本発明の飲料用演出グラスは、上部開口を有する有底の筒状体であるグラス本体と、前記グラス本体の側面又は内部に映像表示装置を固定するための固定機構と、前記映像表示装置の画像を前記グラス本体の外部から視認するための透明部と、前記画像の縦横比を変える画像縦横比制御部とを備え、前記画像縦横比制御部としてフレネルレンズのパターンをエンボス加工したフレネルレンズエリアを前記透明部の表面に備えており、前記フレネルレンズエリアにおける前記画像の垂直方向の拡大率は水平方向の拡大率より大きく、前記グラス本体内の飲料は水平方向に湾曲し、前記画像が前記飲料と前記フレネルレンズエリアを通過して前記グラス本体の外部に至ることを特徴とする。
また、前記透明部と前記フレネルレンズエリアが一体化していることを特徴とする。
また、前記グラス本体内部に前記画像を前記上部開口の方向へ反射する反射鏡を備えることを特徴とする。
また、前記上部開口を塞ぐための蓋を備えることを特徴とする。
本発明の透明シールは、上記飲料用演出グラスにおいて前記フレネルレンズエリアを前記透明部に設けるための透明シールであり、フレネルレンズのパターンをエンボス加工したエンボス加工エリアを前記透明シールの片面に備えており、前記透明シールの前記エンボス加工エリアを備える面と反対側の面に前記透明部に張り付けるための接着層を備え、前記透明シールは透明であり、前記透明シールの前記画像の垂直方向の拡大率は水平方向の拡大率より大きいことを特徴とする。
【発明の効果】
【０００７】  本発明の飲料用演出グラスは、グラス本体の側面にフレネルレンズのパターンのエンボス加工を施す事によりグラス本体の重量増加無しに画像縦横比制御部をグラス本体に搭載可能にしている。グラス本体内の飲料のレンズ効果による画像の水平方向歪みをグラス本体側面のフレネルレンズエリアにより相殺又はキャンセルする。
本発明の飲料用演出グラスは、肉厚の平凸レンズや両凸レンズを用いない方式のためグラス本体の軽量化が可能である。また、グラス本体１０の壁面の厚さが平凸レンズや両凸レンズにより厚くなることは無い。
本発明の透明シールはその片面にフレネルレンズのパターンをエンボス加工したエンボス加工エリアを備えているため、グラス本体の側面の任意の位置に飲料のレンズ効果による画像の歪みを相殺出来るフレネルレンズエリアを設ける事が出来る。
【図面の簡単な説明】
【０００８】
【図１】第１の実施の形態の飲料用演出グラスを示す斜視図（ａ）と断面図（ｂ）
【図２】様々な形状の飲料用演出グラスの例を示す斜視図（ａ）及び（ｂ）
【図３】グラス本体内の飲料による画像の横方向の拡大歪みの状態を示す図
【図４】グラス内飲料とフレネルレンズエリアを透過した画像の状態を示す図
【図５】内部に反射鏡を備える飲料用演出グラス
【図６】第１の実施の形態の透明シールを示す断面図
【発明を実施するための形態】
【０００９】［飲料用演出グラスの第１の実施の形態］
以下、本発明の飲料用演出グラスの第１の実施の形態を図面を用いて示す。
図１に示すように、飲料用演出グラス１は上部開口１１を有する有底の筒状体であるグラス本体１０と、映像表示装置８０をグラス本体１０の側面か内部に固定する固定機構１５と、映像表示装置８０の画像をグラス本体１０外部から視認するための透明部１２と、画像の縦横比を変更する画像縦横比制御部１００とフレネルレンズエリア２０から概略構成される。
グラス本体１０は上部開口１１を有する有底の筒状体であり、グラス本体１０の形状の例としては、図１（ａ）のように取っ手１３を備える通常のジョッキ型（又はマグカップ型）の形状、図２（ａ）のように上部開口１１を塞ぐ蓋１４を備えるボトル型の形状等が挙げられる。グラス本体１０の材質としてはガラスや樹脂等が挙げられる。グラス本体１０の内部には飲料Ｌが充填される。グラス本体１０の内部に充填される飲料Ｌは水平方向に湾曲する。
固定機構１５は映像表示装置８０をグラス本体１０の側面又は内部に固定するための固定機構であり、図１（ａ）の例では固定機構１５としてグラス本体１０の側面に設けられた格納部を用いている。固定機構１５は映像表示装置８０をグラス本体１０に固定さえ出来ればどのような種類の固定機構を用いても良く、固定機構１５はネジ機構や吸盤機構等を組み合わせた物を用いても良い。固定機構１５の材料は特に制限は無いが映像表示装置８０の映像表示面８１を遮らないために透明の材料が望ましい。なお、図２（ｂ）のようにグラス本体１０内部に固定機構１５（格納部）を備えても良い。
透明部１２は映像表示装置８０の映像表示面８１の画像９０を外部から視認するためにグラス本体１０の側面に設けられた透明なエリアである。透明部１２の素材としては透明なガラスやアクリル等の透明な樹脂が挙げられる。ユーザーＵは透明部１２を介してグラス本体１０の内部の飲料Ｌ越しに映像表示装置８０の映像表示面８１に映った画像（厳密には画像９０）をグラス本体１０の外部から視認する。なお、図１（ａ）内の破線Ｐ１は映像表示面８１から投射された画像９０の光の光路Ｐ１のイメージを説明のために図示した物であり、光路Ｐ１のように画像９０はグラス本体１０内部の飲料Ｌと透明部１２（厳密には透明部１２のフレネルレンズエリア２０）を通過してグラス本体１０の外部に至る。なお、図１の例ではグラス本体１０として通常のコップやビールジョッキと同じ全体が透明なグラスを用いているが、本発明の飲料用演出グラス１はグラス本体１０の側面の全てが透明である必要は無く、グラス本体１０の一部だけが透明（つまり透明部１２）であっても構わない。
画像縦横比制御部１００は画像の縦横比（英：ａｓｐｅｃｔ  ｒａｔｉｏ）を変更する機構であり、画像９０がグラス本体１０内の飲料Ｌを通過することにより水平方向のみに拡大して歪むのを防ぐために用いられる。画像縦横比制御部１００は画像の縦横比を変更出来る機構なら何でも良い。画像縦横比制御部１００の具体例としては画像の縦横比を変更しながら拡大するレンズ、つまり垂直方向と水平方向の拡大率が違う凸レンズ等が挙げられる。なお、本発明の飲料用演出グラス１では画像縦横比制御部１００として透明部２０の表面にフレネルレンズエリア２０を備える。
フレネルレンズエリア２０は図１（ｂ）のように透明部１２の表面にフレネルレンズのパターンをエンボス加工したエリアであり、飲料Ｌを通過（又は透過）した画像９０の縦横比を変更するための画像縦横比制御部１００として用いられる。なお、図１（ａ）や図２（ａ）の例ではフレネルレンズエリア２０を通過した（つまり縦横比変更後）のユーザーＵから見える画像９０のイメージを画像９２と表記している。エンボス加工によりグラス本体１０の側面（又は壁面）その物をレンズ化するため画像縦横比制御部１００用に別途凸レンズをグラス側面に取り付ける必要が無いため飲料用演出グラス１の軽量化が可能である。
【００１０】  飲料Ｌによるレンズ効果について補足説明をする。
通常のビールジョッキやコップ等の飲料用容器は円筒形をしているためその内部の飲料は必然的に図１（ａ）の飲料Ｌのように水平方向に湾曲した形状となる。
水の光の屈折率は約１．３３３であり空気の光の屈折率に比して大きく、更にグラス本体１０内部の飲料Ｌは水平方向に湾曲するため、その飲料Ｌの水平方向の曲率半径ＲＨは図３のように必ず有限な値を持つ。グラス本体１０内の飲料Ｌは水平方向に有限な曲率半径ＲＨを持つため飲料Ｌは図３のように画像を水平方向に拡大する凸レンズ５０（厳密には両凸レンズ）と同じ働きをしてしまう。別の言い方をすれば、飲料Ｌのみを透過した映像表示装置８０の画像９０は飲料Ｌによるレンズ効果により図３の画像９１のように水平方向（又は横方向）に引き伸ばされて大きく歪んでしまう。
画像９０が図３の画像９１のように飲料Ｌにより水平方向に引き伸ばされて歪むのを防ぐには、図１（ａ）又は図４のようにフレネルレンズエリア２０を以って画像９１を垂直方向に拡大することにより水平方向歪みを相殺又はキャンセルしてやれば良い。
飲料Ｌを通過した映像表示装置８０の画像９０は、図４の画像９１のように水平方向に引き伸ばされて一旦歪んでしまうが、その画像９１がフレネルレンズエリア２０を通過することにより画像９２のように縦横比が等しくなるように拡大される（修正される）。
なお、図４内の破線Ｐ１は映像表示面８１から投射された画像９０の光の光路Ｐ１のイメージを説明のために図示したものである。図４内の光路Ｐ１のように飲料Ｌを通過することにより水平方向に拡大して歪んだ画像９１の光はフレネルレンズエリア２０にて垂直方向に拡散（つまり垂直方向に屈折）する。そのためフレネルレンズエリア２０を通過（又は透過）した画像９２は垂直方向にも水平方向にも拡大されるため歪まない。
ここで一つ注意点が有り、それは本発明の飲料用演出グラス１のフレネルレンズエリア２０は必ず垂直方向の画像の拡大率が水平方向の画像の拡大率より大きいフレネルレンズを用いなければならないという事である。何故なら通常のフレネルレンズでは画像の垂直方向の拡大率と水平方向の拡大率が等しいため画像の縦横比（英：ａｓｐｅｃｔ  ｒａｔｉｏ）を変更する事が出来ないため飲料Ｌのレンズ効果による画像の水平方向の拡大による歪みを相殺する事が原理上不可能だからである（つまり通常のフレネルレンズは画像縦横比制御部１００として機能しない）。
なお、図４や図１（ａ）の例ではフレネルレンズエリア２０は映像表示面８１が有る側と反対側（つまりユーザーＵ側）に位置しているが、フレネルレンズエリア２０は画像９０が通過（又は透過）出来る位置にさえあればグラス本体１０の側面のどの位置にあっても構わない。例えば映像表示面８１と飲料Ｌの間のグラス本体１０壁面にフレネルレンズエリア２０を設けて予め画像９０を水平方向に縮小することにより飲料Ｌのレンズ効果による画像の水平方向の拡大歪みを相殺するようにしても良い。
【００１１】  フレネルレンズについて補足説明する。
フレネルレンズとは通常の球面をした厚みの有る平凸レンズや両凸レンズ等と違い、透明なシートの表面に光屈折用の同心円状のパターン等をエンボス加工することによりその透明な板やシート表面をレンズ化にした物である。そのためフレネルレンズは厚みが殆ど無いシートやフィルムをレンズ化出来る（フレネルレンズの更なる詳細については光学やフレネルレンズの専門書を参照されたい）。
本発明の飲料用演出グラス１では図１（ａ）のように画像縦横比制御部１００としてグラス本体１０の側面をフレネルレンズ化して画像の縦横比（英：ａｓｐｅｃｔ  ｒａｔｉｏ）を変更する方式を用いている。そのため（グラス本体１０の側面の）透明部１２とフレネルレンズエリア２０は一体化しているため飲料用演出グラス１の軽量化が図れる。
【００１２】  グラス本体１０の内部に反射鏡３０を備えても良い。
反射鏡３０により図５のようにグラス本体１０の上部開口１１方向に画像９０を反射しても良い。反射鏡３０によりユーザーＵは画像９０をグラス本体１０側面側だけでなく上部開口１１側からも視認出来る。なお、図５内の破線Ｐ２は映像表示面８１から投射された画像９０の光の光路Ｐ２のイメージを説明のために図示した物である。光路Ｐ２のように映像表示面から投影された画像９０の光の一部は反射鏡３０で反射して上部開口１１の方向に向かう。
【００１３】  以下、本発明の透明シールの第１の実施の形態について説明する。
図６に本発明の飲料用演出グラス１で用いる透明シール２００を示す。
透明シール２００は本発明の飲料用演出グラス１においてフレネルレンズエリア２０を透明部１２に設けるためのシート状の部材であり、フレネルレンズのパターンをエンボス加工したエンボス加工エリア２２０を透明シール２００の片面に備えており、透明シール２００のエンボス加工エリア２２０を備える面と反対側の面に透明部１２に張り付けるための接着層２３０を備えており、透明シール２００は透明であり、透明シール２００の画像（つまり画像９０）の垂直方向の拡大率は水平方向の拡大率より大きいことを特徴とする。
図６のように透明シール２００の接着層２３０をグラス本体１０の透明部１２に接着させることにより透明部１２の任意のエリアにフレネルレンズエリア２０を形成できる。
なお、透明シール２００は画像９０を透過させる必要が有るため透明でなければならない。
また、飲料Ｌを通過（又は透過）した画像９０の水平方向の（拡大による）歪みを相殺するために、透明シール２００に彫刻又はエンボスするフレネルレンズのパターンは画像の垂直方向の拡大率が水平方向の拡大率より大きくなるように調整されたパターンでなければならない。
【産業上の利用可能性】
【００１４】  本発明は、グラス本体内の飲料レンズ効果による画像の水平方向の歪みを相殺する飲料用演出グラスであり、画像縦横比制御部をグラス本体の側面をフレネルレンズのパターンでエンボス加工することにより設けており、それによりグラス本体の重量を極限まで軽量化している。以上より本発明は産業上の利用可能性を有する。
【符号の説明】
【００１５】Ｕ  ユーザー
Ｌ  飲料（液体）
Ｐ１  光路
Ｐ２  光路
ＲＨ  曲率半径（水平方向）
１  飲料用演出グラス
１０  グラス本体
１１  上部開口
１２  透明部
１３  取っ手
１４  蓋
１５  固定機構
２０  フレネルレンズエリア
３０  反射鏡
５０  凸レンズ
８０  映像表示装置
８１  映像表示面
９０  画像
９１  画像（飲料のみ透過した画像）
９２  画像（透過した画像）
９４  スクィーズ画像
１００  画像縦横比制御部
２００  透明シール
２２０  エンボス加工エリア（フレネルレンズエリア）
２３０  接着層
【要約】
【課題】  本発明はグラス本体の側面をフレネルレンズ加工する事によりグラスの重量増加無しに画像縦横比制御部をグラスに搭載可能な飲料用演出グラスを提供することを課題とする。また、その飲料用演出グラスを構成する際に用いる透明シールを提供することを課題とする。
【解決手段】  本発明の飲料用演出グラスは  上部開口を有する有底の筒状体であるグラス本体と、前記グラス本体の側面又は内部に映像表示装置を固定するための固定機構と、  前記映像表示装置の画像を外部から視認するための透明部と、前記画像の縦横比を変える画像縦横比制御部とを備え、前記画像縦横比制御部としてフレネルレンズのパターンをエンボス加工したフレネルレンズエリアを前記透明部の表面に備えており、前記フレネルレンズエリアにおける前記画像の垂直方向の拡大率は水平方向の拡大率より大きいことを特徴とする。
【選択図】図１【図１】
0006913416.tif 000002
【図２】
0006913416.tif 000003
【図３】
0006913416.tif 000004
【図４】
0006913416.tif 000005
【図５】
0006913416.tif 000006
【図６】
0006913416.tif 000007